(57)【要約】  【課題】  ネジなど止着部材の止着により過大な負荷が掛かっても止着部である孔の周縁が破損することなく、しかも加工容易性や軽量化、絶縁性などを維持することができるトランスケースを提供する。  【解決手段】  トランス本体を覆うトランス収容部１１と、コネクタ配線部を覆うコネクタボックス部１２と、を樹脂により一体成型して成る樹脂ケース１０と、樹脂ケース１０に支持固定される金属板ベース１００とを備え、金属板ベース１００は、ネジによりトランス設置部位に止着固定される止着部１１０、１１５、１１６として孔を有する。【選択図】図１
0003107658.tif 000002
【実用新案登録請求の範囲】
【請求項１】
トランス本体を覆うトランス収容部と、コネクタ配線部を覆うコネクタボックス部と、を樹脂により一体成型して成る樹脂ケースと、
該樹脂ケースに固定される金属板ベースと、
を備え、
該金属板ベースは、止着部材によりトランス設置部位に止着固定される止着部を有することを特徴とするトランスケース。
【請求項２】
前記樹脂ケースは、トランス本体を挟持するように二分割成型され、両分割ケースの底部に嵌合支持壁と嵌合挟持壁を形成し、該嵌合支持壁と嵌合挟持壁との間に金属板ベースを嵌入して、これら分割ケース間に金属板ベースを嵌合固定したことを特徴とする請求項１に記載のトランスケース。
【請求項３】
前記樹脂ケースには前記止着部材を挿入する挿通孔を形成し、該挿通孔の開口に臨ませた状態で前記金属板ベースから舌片状の止着部を折り曲げて形成し、該止着部には前記止着部材を止着する止着孔を形成したことを特徴とする請求項１または請求項２に記載のトランスケース。
【請求項４】
前記金属板ベースの長手方向両端部を樹脂ケースから張り出させて、この張出した突出部分には張出し止着部を形成し、金属板ベースの長辺から舌片状の止着部を樹脂ケース側に屈曲して形成し、各止着部に前記止着部材を止着する止着孔を形成したことを特徴とする請求項１から請求項３のいずれかに記載のトランスケース。
【考案の詳細な説明】
【技術分野】
【０００１】
本考案は、パチンコ機等の遊技機に変圧して電源供給するトランスを収容するトランスケースに係り、特にその取り付け構造を改良したトランスケースに関する。
【背景技術】
【０００２】
パチンコ機に代表される遊技機は、例えば、２４Ｖの交流電圧を遊技盤裏面に附設した交流／直流変換器により変換して使用しており、２４Ｖの交流電圧は１００Ｖの交流電源をトロイダルトランス等のトランスにより変圧して供給している。
【０００３】
この種のトランスは防塵や安全上などの観点からトランスケース内に収納されており、該トランスケースは加工容易性や軽量化、絶縁性などを考慮して、通常、樹脂成型により作製されている。
【考案の開示】
【考案が解決しようとする課題】
【０００４】
ところで、遊技機で使用するトロイダルトランス等のトランスは、例えば３ｋｇ程度の重量物であるため、落下等しないように島内部のトランス設置部位に強固にネジ固定する必要がある。しかし、上述したようにトランスケースは樹脂成型品であるため、電動ドライバーにより充分にネジ固定しようとすると、締め過ぎてネジの頭が着座するトランスケースの止着孔周縁部に過負荷が掛かり、該止着孔周縁部が破損してしまうという問題があった。
【０００５】
そこで、本考案は上記の事情に鑑みてなされたものであり、その目的は、ネジ等の止着部材の止着により過大な負荷が掛かっても止着孔周縁部などが破損することなく、しかも加工容易性や軽量化、絶縁性などを維持することができるトランスケースを提供することにある。
【課題を解決するための手段】
【０００６】
本考案は、上記目的を達成するために提案されたものであり、請求項１に記載のものは、トランス本体を覆うトランス収容部と、コネクタ配線部を覆うコネクタボックス部と、を樹脂により一体成型して成る樹脂ケースと、該樹脂ケースに支持固定される金属板ベースと、を備えており、該金属板ベースは、止着部材によりトランス設置部位に止着固定される止着部を有することを特徴とするトランスケースである。
【０００７】
請求項２に記載のものは、前記樹脂ケースは、トランス本体を挟持するように二分割成型され、両分割ケースの底部に嵌合支持壁と嵌合挟持壁を形成し、該嵌合支持壁と嵌合挟持壁との間に金属板ベースを嵌入して、これら分割ケース間に金属板ベースを嵌合固定したことを特徴とする請求項１に記載のトランスケースである。
【０００８】
請求項３に記載のものは、前記樹脂ケースには前記止着部材を挿入する挿通孔を形成し、該挿通孔の開口に臨ませた状態で前記金属板ベースから舌片状の止着部を折り曲げて形成し、該止着部には前記止着部材を止着する止着孔が形成されていることを特徴とする請求項１または請求項２に記載のトランスケースである。
【０００９】
請求項４に記載のものは、前記金属板ベースの長手方向両端部を樹脂ケースから張り出させて、この張出した突出部分には張出し止着部を形成し、金属板ベースの長辺から舌片状の止着部を樹脂ケース側に屈曲して形成し、各止着部に前記止着部材を止着する止着孔を形成したことを特徴とする請求項１から請求項３のいずれかに記載のトランスケースである。
【考案の効果】
【００１０】
本考案のトランスケースによれば、次のような優れた効果を奏する。
即ち、請求項１に記載の考案によれば、樹脂ケースのトランス収容部がトランス本体を覆うとともに、コネクタボックス部がコネクタ配線部を覆っており、この樹脂ケースに支持固定された金属板ベースの止着部にネジ等の止着部材が止着されるので、ネジ等の止着力で過大な負荷が掛かっても止着部が破損することなく、しかも加工容易性や軽量化、絶縁性などを維持することができる。
【００１１】
請求項２に記載の考案によれば、トランス本体を挟持するように二分割成型された両分割ケースの底部に嵌合支持壁と嵌合挟持壁を形成し、該嵌合支持壁と嵌合挟持壁との間に金属板ベースを嵌入して、これら分割ケース間に金属板ベースを嵌合固定したので、ネジなどの止着部材を別途用いることなく簡易に金属板ベースを分割ケースに支持固定することができる。
【００１２】
請求項３に記載の考案によれば、金属板ベースの舌片状止着部が樹脂ケースの止着部材挿通孔の開口に臨む状態で折り返され、該止着部に止着部材を止着する止着孔が形成されているので、止着部材の止着力が金属板ベースの舌片状止着部に掛かることになり、過大な負荷が掛かっても止着部が破損することない。
【００１３】
請求項４に記載の考案によれば、金属板ベースの長手方向両端部を樹脂ケースから張り出させて、この張出した突出部分には張出し止着部を形成し、金属板ベースの長辺から舌片状の止着部を樹脂ケース側に屈曲して形成し、各止着部に前記止着部材を止着する止着孔を形成したので、トランスを固定する向きにとらわれることがなくなり、トランスの設置自由度が拡がる。
【考案を実施するための最良の形態】
【００１４】
以下、本考案を実施するための最良の形態を図面に基づき説明する。
本考案に係るトランスケースは、パチンコ機に代表される遊技機に、例えば、１００Ｖの商用交流電源を２４Ｖに変圧して供給するトロイダルトランス等のトランスを収納するケースである。
図１は本実施形態のトランスケースの外観を示す正面図、図２はその背面図、図３はその上面図、図４はその下面図、図５はその左側面図、図６はその右側面図である。
【００１５】
これらの図面に示すように、本実施形態のトランスケース１は、トロイダルトランスを収納するケースとして構成されており、リング状のコア部と巻き線部から成るトランス本体を内部に収容する樹脂ケース１０と、この樹脂ケース１０の下面に支持固定される金属板ベース１００と、を主な構成要素としている。
【００１６】
樹脂ケース１０は、トランス本体を覆う中空円盤状のトランス収容部１１と、その左側にコネクタ配線部を覆う中空直方体状のコネクタボックス部１２と、を有しており、例えば、金型内で熱硬化樹脂等を一体成型して形成され、全体として蝸牛の様な形状を呈している。この樹脂ケース１０は、リング状のトランス本体をその軸方向の表裏から挟持するように、正面側の分割ケース２１と背面側の分割ケース２２とに二分割成型されている。
【００１７】
図７は、正面側の分割ケース２１の内側の構造を示す背面図であり、図１に対して左右が反転表示されている。また図８は、背面側の分割ケース２２の内側の構造を示す正面図である。さらに、図９は背面側分割ケース２２を示す左側面図であり、図１０はその右側面図である。
【００１８】
これらの図面に示すように、正面側の分割ケース２１及び背面側の分割ケース２２において、円盤状のトランス収容部１１の内側中心部分には、リング状のトランス本体の中心孔に挿入するためのボス部２３、２４がそれぞれ形成されており、各ボス部２３、２４は外側に略中空円柱状の凹部を形成するとともに、内側に略中空円柱状の凸部を形成するように、外側から内側へ向けて軸方向に突設されている。各ボス部２３、２４の円周部には放射状に凹凸部２５、２６が形成され、ピニオンギヤの様な形状を呈しており、各凹部の最深谷部には軸方向に沿った直状の通気部２７、２８が形成されている。このようにボス部２３、２４がリング状のトランス本体の中心孔に挿入配置されることにより、該ボス部２３、２４がトランス本体の径方向移動を規制する。また、各ボス部２３、２４の円周部に複数の直状通気部２７、２８が開口されているので、トランス本体の内周部からの放熱を促進することができる。
【００１９】
また、これらの分割ケース２１、２２における円盤状のトランス収容部１１のリング状部分（ボス部２３、２４の周囲の部分）には、上下方向に沿って数条の凹凸部３１が形成され、該凹凸部３１は一つ置きに凹部、凸部を繰り返し、凹部と凸部の各段差部に直状の通気口３２が開口されており、各通気口３２内には凹部と凸部との接続部３３（図１参照）を所定間隔毎に部分的に有している。さらに、これらの分割ケース２１、２２におけるトランス収容部１１の上面の左右両側部分、及び下面の右側部分には、前後方向に沿って数条の凹凸部３６が形成され、該凹凸部３６は一つ置きに凹部、凸部を繰り返し、凹部と凸部の各段差部に直状の通気口３７が開口されている。このようにトランス収容部１１のリング状部分、上面の左右両側部分、及び下面の右側部分には通気口３２、３７が開口されているので、トランス本体のリング状部及び外周部からの放熱を促進することができる。また、各通気口３２、３７は凹部と凸部の各段差部に開口されているので、斜め方向からでないと通気口３２、３７の開口を確認できないブラインド状態にあり、異物の侵入を防止することができる。
【００２０】
図７に示すように、正面側分割ケース２１の内側の左右下部には、外側からネジ等の止着部材（図示せず）を挿通させる止着部材挿通孔４１（図１参照）を区画する短管部材４２が背面側へ向けて突出しており、図８に示すように、背面側分割ケース２２の上記短管部材に対応する部分には、略舌形の開口部４３が形成されている。また、図８から図１０に示すように、背面側分割ケース２２におけるトランス収納部１２の周壁部の内側端縁部には、該周壁部に沿って上部左右及び下部右側に円弧状の嵌合突起部４５が形成されており、図７に示すように、正面側分割ケース２１におけるトランス収納部１２の周壁部の内側端縁部の対応する部分には、上記嵌合突起部４５を嵌入させる円弧状の嵌合溝４６が形成されている。さらに、図８から図１０に示すように、背面側分割ケース２２の内側のコネクタボックス部１２の左端部には、３箇所の嵌合ピン４８が正面側へ向けて突出しており、図７に示すように、正面側分割ケース２１の内側の対応部分には、上記嵌合ピン４８を嵌入させる嵌合孔４９が形成されている。
【００２１】
上記嵌合突起部４５及び嵌入溝４６、上記嵌合ピン４８及び嵌合孔４９により正面側分割ケース２１と背面側分割ケース２２とを組み合わせたときに、正面側のボス部２３の先端の円板部５１と、背面側のボス部２４の先端の円板部５２とが当接しないように、これらの間には数ｍｍのクリアランスが設けられている。なお、正面側ボス部２３の先端円板部５１と背面側ボス部２４の先端円板部５２との間にクリアランスを設けた理由については後述する。また、背面側のボス部２４の円板部５２にはネジ挿通孔５３を形成する一方で、正面側のボス部２３の円板部５１にはネジ挿通孔５４を形成するとともに、外側に六角形状のナット固定部５５（図１参照）を形成している。さらに、背面側分割ケース２２のトランス収容部１１の上下左右四箇所、及びコネクタボックス部１２の左端部上下には、内部にネジ頭部の着座部を有するネジ挿通孔５８、６０が形成されており、正面側分割ケース２１の対応する部分にはネジ止着孔５９、６１が形成されており、ネジは背面側（背面側分割ケース２２の外側）からネジ挿通孔５８、６０に挿通されてネジ止着孔５９、６１に締結され、そのネジ頭部が着座部に止着されるように成っている。
【００２２】
また、図２および図３に示すように、樹脂ケース１０のコネクタボックス部１２の上面における背面側には、１００Ｖの電源を入力する電源コード６５の装着部６６が開口されており、その前面側には１００Ｖの出力コネクタ６８（図３参照）の装着部６９が開口されている。１００Ｖの出力コネクタ６８は、他のトランス１に電源を供給するのに使用することができ、各トランス１の出力コネクタ６８を隣りのトランス１の電源に順次使用すると、商用電源１００Ｖのコンセントが少なくても、複数のトランス１を設置することができる。
図２、図３および図７に示すように、このコネクタ装着部６９の左右には、コネクタプラグの抜け止め用の一対の挟持爪部７０が爪部先端を相対向させるように起立した状態で設けられている。さらに、図１および図７に示すように、樹脂ケース１０のコネクタボックス部１２の前面（正面）下部には、トランスの２次側である２４Ｖの出力コネクタ７１の装着部７２が開口されており、この２４Ｖの出力コネクタ７１は１００Ｖの出力コネクタ６８とは形状が異なっており、誤使用を防止するように成っている。そして、コネクタ装着部７２の直上には、ヒューズ７３の装着部７４が開口されており、その右上方には電源表示ＬＥＤ７７の装着部７８が開口されている。
【００２３】
図７に示すように、正面側分割ケース２１において、トランス収納部１１とコネクタボックス部１２との間は、トランス収納部１１の周壁に連続するように背面側へ向けて起立された円弧状の区画壁８１が形成され、該区画壁８１には１次側（１００Ｖ側）の開口部８２と、２次側（２４Ｖ側）の開口部８３と、が開口されており、コネクタボックス部１２内でコネクタ配線などが成される。
【００２４】
また、この正面側分割ケース２１の最下部（底部）には左右に直状の嵌合支持壁８５、８６が背面側（図中手前側）へ向けて起立形成され、これら嵌合支持壁８５、８６と所定の間隔Ｄを隔てて、これら嵌合支持壁８５、８６に対向するように嵌合挟持壁８８、８９が区画形成されており、一方の嵌合挟持壁８８は上記トランス収納部１１の台座部として機能し、他方の嵌合挟持壁８９は上記コネクタボックス部１２の下部区画壁として機能している。さらに、図８に示すように、背面側分割ケース２２の最下部には左右に直状の嵌合支持壁９１、９２が正面側（図中手前側）へ向けて起立形成され、これら嵌合支持壁９１、９２と所定の間隔Ｄを隔てて、これら嵌合支持壁９１、９２に対向するように嵌合挟持壁９３、９４が区画形成されており、一方の嵌合挟持壁９３は上記トランス収納部１１の台座部の一部として機能し、他方の一方の嵌合挟持壁９４は上記コネクタボックス部１２の下部区画壁の一部として機能している。
【００２５】
上記所定の間隔Ｄとは上記金属板ベース１００の板厚より若干大きい間隔であり、正面側分割ケース２１の嵌合支持壁８５、８６と嵌合挟持壁８８、８９との間、及び背面側分割ケース２２の嵌合支持壁９１、９２と嵌合挟持壁９３、９４との間に、金属板ベース１００を嵌入して、これら分割ケース２１、２２間に金属板ベース１００を嵌合固定するように成っている。
【００２６】
図１１は本実施形態における金属板ベース１００を示しており、（ａ）はその平面図、（ｂ）はその背面図、（ｃ）は（ａ）の右側面図である。
図示するように、金属板ベース１００は鉄板など金属製の板状部材であり、その長手方向中間部には、上記嵌合支持壁８５、９１と嵌合挟持壁８８、９３との間に嵌合されるコネクタボックス部側嵌入部１０１と、上記嵌合支持壁８６、９２と嵌合挟持壁８９、９４との間に嵌合されるトランス収納部側嵌入部１０２とを上方に突設させて有している。また、コネクタボックス部側嵌入部１０１には、下方へ向けて一対の台座部１０５が突設され、上記コネクタボックス部側嵌入部１０１とトランス収納部側嵌入部１０２との間に下方へ突設した支持部１０６と同レベルと成るように形成されている。
【００２７】
この金属板ベース１００は、ネジ等の止着部材（図示せず）によりトランス設置部位に止着固定される一対の舌片状の止着部１１０を長辺に有しており、この舌片状止着部１１０は金属板ベース１００から上方の樹脂ケース１０側へほぼ９０°屈曲して形成されて、背面側分割ケース２２に形成された舌状の開口部４３に位置され、樹脂ケース１０に形成された上記の止着部材挿通孔４１の開口直近に臨んだ状態で配置されるように成っている。この舌片状止着部１１０には止着孔１１１が形成され、止着部材挿通孔４１内に正面側から挿通されたネジの頭部で止着固定される。即ち、トランスケース１の背面をトランス設置面に沿わせて取り付ける場合には、正面側から止着部材挿通孔４１内にネジが挿通され、その奥に位置する舌片状止着部１１０の止着孔１１１を通してトランス設置面に螺合し、該舌片状止着部１１０にネジ頭部を止着固定することになる。したがって、電動ドライバを用いてネジを強く締めても、舌片状止着部１１０が金属であるので破損することはなく、強固に固定することができる。
【００２８】
また、金属板ベース１００の長手方向の長さは上記樹脂ケース１０の長手方向長さよりも大きく形成され、該金属板ベース１００の長手方向両端部は樹脂ケースから張り出しており、この張出した突出部分には張出し止着部１１５、１１６が形成されている。これらの張出し止着部１１５、１１６は、下方へ向けてＬ字状に屈曲しており、上記支持部１０６および台座部１０５と同レベルと成るように形成されている。さらに、各張出し止着部１１５、１１６の前後端部には、ネジ等の止着部材（図示せず）を止着する止着孔１２０が形成され、これら対の止着孔１２０間には瓢箪形状の引っ掛け孔１２１が開口されている。これら張出し止着部１１５、１１６の止着孔１２０を使用してトランスケース１を取り付ける場合には、金属板ベース１００の上記台座部１０５、支持部１０６および張出し止着部１１５、１１６をトランス設置面に当接させ、張出し止着部１１５、１１６の表面側から止着孔１２０にネジを通して止着固定することになる。したがって、この場合にも、張出し止着部１１５、１１６が金属であるので、電動ドライバを用いてネジを強く締めても破損することはなく、強固に固定することができる。特に、張出し止着部１１５、１１６を用いて取り付ける場合には、トランス設置面に対してトランスケース１を垂直に固定することができ、設置面積も金属板ベース１００の大きさに限定され、設置の自由度が拡がることになる。
【００２９】
次に、トランスケース１の組み立て手順について説明する。
この金属板ベース１００を樹脂ケース１０に支持固定するには、例えば、予め金属板ベース１００の長手方向の一辺側を正面側分割ケース２１の嵌合支持壁８５、８６と嵌合挟持壁８８、８９との間に嵌入しておき、背面側分割ケース２２の嵌合突起部４５を正面側分割ケース２１の嵌入溝４６に嵌入させるとともに、背面側分割ケース２２の嵌合ピン４８を正面側分割ケース２１の嵌合孔４９に嵌入させる際に、金属板ベース１００の長手方向の他辺側を背面側分割ケース２２の嵌合支持壁９１、９２と嵌合挟持壁９３、９４との間に嵌入して、正面側分割ケース２１と背面側分割ケース２２とを組み合わせる。
【００３０】
そして、背面側分割ケース２２の外側（背面側）からネジ挿通孔５８、６０にネジを挿通させて、正面側分割ケース２１のネジ止着孔５９、６１に締結する。さらに、背面側ボス部２４の円板部５２に形成したネジ挿通孔５３に背面側からネジを挿入して、正面側ボス部２３の円板部５１に形成したネジ挿通孔５４に挿通させ、該円板部５１の外側のナット固定部５５に配したナットに螺合締結する。その際、正面側ボス部２３の先端円板部５１と背面側ボス部２４の先端円板部５２との間にはクリアランスが設けられているので、このクリアランスがネジの締め代となり、正面側分割ケース２１及び背面側分割ケース２２のリング状部分（ボス部２３、２４の周囲の部分）がトランス本体を押圧することになる。特に、正面側分割ケース２１及び背面側分割ケース２２のリング状部分には、段差部に通気口３２を有する凹凸部３１が形成されているので、柔軟性を有し撓み易くトランス本体の巻き線部分に密着するように保持することになる。
【００３１】
このように本実施形態のトランスケース１によれば、樹脂ケース１０のトランス収容部１１がトランス本体を覆うとともに、コネクタボックス部１２がコネクタ配線部を覆っており、正面側分割ケース２１及び背面側分割ケース２２のリング状部分がトランス本体の巻き線部分に密着して確実に保持し、大部分が樹脂製であるので、加工容易性や軽量化、絶縁性などを維持することができる。また、この樹脂ケース１０に嵌合固定された金属板ベース１００の舌片状止着部１１０または張出し止着部１１５、１１６にネジ等の止着部材が止着固定されるので、止着部材の止着により過大な負荷が掛かっても金属製の舌片状止着部１１０または張出し止着部１１５、１１６は破損することなく、電動ドライバの使用に対応しえ、取り付けが容易である。
【図面の簡単な説明】
【００３２】
【図１】本実施形態のトランスケースの外観を示す正面図である。
【図２】本実施形態のトランスケースの外観を示す背面図である。
【図３】本実施形態のトランスケースの外観を示す上面図である。
【図４】本実施形態のトランスケースの外観を示す下面図である。
【図５】本実施形態のトランスケースの外観を示す左側面図である。
【図６】本実施形態のトランスケースの外観を示す右側面図である。
【図７】本実施形態における正面側の分割ケースの内側の構造を示す背面図である。
【図８】本実施形態における背面側の分割ケースの内側の構造を示す正面図である。
【図９】本実施形態における背面側分割ケースを示す左側面図である。
【図１０】本実施形態における背面側分割ケースを示す右側面図である。
【図１１】本実施形態における金属板ベース１００を示しており、（ａ）はその平面図、（ｂ）はその背面図、（ｃ）は（ａ）の右側面図である。
【符号の説明】
【００３３】
１  トランスケース
１０  樹脂ケース
１１  トランス収容部
１２  コネクタボックス部
２１  正面側分割ケース
２２  背面側分割ケース
２３、２４  ボス部
２５、２６  凹凸部
２７、２８  通気部
３１  凹凸部
３２  通気口
３３  接続部
３６  凹凸部
３７  通気口
４１  止着部材挿通孔
４２  短管部材
４３  舌状の開口部
４５  嵌合突起部
４６  嵌合溝
４８  嵌合ピン
４９  嵌合孔
５１、５２  円板部
５３、５４  ネジ挿通孔
５５  ナット固定部
５８、６０  ネジ挿通孔
５９、６１  ネジ止着孔
６５  電源コード
６６  電源コード装着部
６８  １００Ｖの出力コネクタ
６９  コネクタ装着部
７０  挟持爪部
７１  ２４Ｖの出力コネクタ
７２  コネクタ装着部
７３  ヒューズ
７４  ヒューズ装着部
７７  電源表示ＬＥＤ
７８  ＬＥＤ装着部
８１  区画壁
８２  １次側開口部
８３  ２次側開口部
８５、８６  嵌合支持壁
８８、８９  嵌合挟持壁
９１、９２  嵌合支持壁
９３、９４  嵌合挟持壁
１００  金属板ベース
１０１  コネクタボックス部側嵌入部
１０２  トランス収納部側嵌入部
１０５  台座部
１０６  支持部
１１０  舌片状の止着部
１１１  止着孔
１１５、１１６  張出し止着部
１２０  止着孔
１２１  位置決め孔
【図１】
0003107658.tif 000003
【図２】
0003107658.tif 000004
【図３】
0003107658.tif 000005
【図４】
0003107658.tif 000006
【図５】
0003107658.tif 000007
【図６】
0003107658.tif 000008
【図７】
0003107658.tif 000009
【図８】
0003107658.tif 000010
【図９】
0003107658.tif 000011
【図１０】
0003107658.tif 000012
【図１１】
0003107658.tif 000013